(57)【特許請求の範囲】
【請求項１】
端部が蝶番で連結された二つの平板と、これらの二つの平板を折り畳んだときに対向面となる表面側にそれぞれ設けられた着脱手段と、前記一方の平板の裏面側に形成された粘着部とからなる携帯品留め具。
【請求項２】
前記着脱手段は面ファスナーである請求項１記載の携帯品留め具。
【請求項３】
前記着脱手段は磁石である請求項１記載の携帯品留め具。
【発明の詳細な説明】
【０００１】
【発明の属する技術分野】
本発明は、自動車運転時または歩行時には携帯電話やかさ等の携帯品の留め具となり、使用時は携帯品を留め具から容易に取り外して使用することのできる携帯品留め具に関する。
【０００２】
【従来の技術】
自動車運転時または歩行時に、携帯電話をワイシャツのポケット等に入れていると、ポケットから携帯電話が落下することがある。これを解消するために特開２０００−０２２７９２号公報には、ポケットから携帯電話が簡単に落下しないように、携帯電話の所望の位置に貼着部材を介してクリップ本体を貼着した携帯電話用留め具が開示されている。
【０００３】
また特開２０００−２１９０７３号公報には、自動車室内にかさを安定して置けるよう、自動車室内のドア内壁部に係着可能な手段を設け、かさの取り出しが容易な場所へ保持できるようしたかさ安定保持収納帯が開示されている。
【０００４】
【発明が解決しようとする課題】
特開２０００−０２２７９２号公報の留め具は、歩行時には、ワイシャツのポケット内に携帯電話を入れ、前記クリップ状の留め具で携帯電話が簡単に落下しないようにしている。しかし携帯電話は、通常手に持って通話を行う道具であるので、携帯電話に留め具が貼り付けられた状態では、携帯電話手に持って通話するときに留め具が大きいと障害物となり指にあたるなど通話での支障を来す場合がある。
【０００５】
また同様のことが、特開２０００−２１９０７３号公報に記載されたかさ安定保持収納帯でも起こり得る。このかさ安定保持収納帯では、車内にかさを持ち込み、自動車を運転中には、かさを車のドアの内扉側に係着できる面ファスナーにかさを取り付けるが、かさを取り付けないときは、面ファスナーの面が外気に曝されると車内中の粉塵が付着して、最終的には付着力がなくなってしまう。
【０００６】
本発明は、携帯電話などの携帯品を通常使用するときは使用感を損ねることがなく、自動車運転時または歩行時には留め具としての機能を発揮できる携帯品留め具を提供することを目的とする。
【０００７】
【課題を解決するための手段】
前記目的を達成するため、本発明の携帯品留め具は、端部が蝶番で連結された二つの平板と、これらの二つの平板を折り畳んだときに対向面となる表面側にそれぞれ設けられた着脱手段と、前記一方の平板の裏面側に形成された粘着部とからなるものである。この発明によれば、携帯電話などの携帯品を通常使用するときは使用感を損ねることがなく、自動車運転時または歩行時には留め具としての機能を発揮できる携帯品留め具が得られる。
【０００８】
前記着脱手段としては、面ファスナーや磁石を用いることができ、これらにより、携帯品は付着時は自動車の振動などでは容易に離脱せず、着脱は簡単に行うことができる。
【０００９】
【発明の実施の形態】
以下、本発明の実施の形態について説明する。
図１は本発明の実施形態である携帯品留め具を示すものであり、（ａ）は表面側の斜視図、（ｂ）は背面図である。
【００１０】
同図に示すように、本実施形態の携帯品留め具は、二枚の平板１および２を蝶番３で開閉可能に連結したものであり、第１の平板１の表面には面ファスナー１ａ（凸側）を、第２の平板２の表面の一部には面ファスナー２ａ（凹側）を貼り付けたものである。第２の平板２の端部には、面ファスナーを剥がしやすいように把手４を設けている。第１の平板１の裏面には、図１（ｂ）に示すように両面テープなどの粘着部１ｂが形成されており、最初は剥離紙などで粘着面を保護している。第２の平板２の裏面２ｂは、第２の平板２を第１の平板１に折り畳んだ場合に表面となる部分である。
【００１１】
平板１、２の材料は、金属や木製またはプラスチックを使用する。金属や木製やプラスチック製の平板１、２は、厚さが数ミリのものであればよい。平板１、２は、携帯電話への使用時には携帯電話の本体の色と同色、若しくは携帯電話のボディーと同材質のものを使用すればよい。
【００１２】
第２の平板２の裏面２ｂに写真やキャラクタを貼り付ける場合は、平板２に貼り付けた後、剥がれにくいような材質がよく、一般的にプラスチック製が用いられる。木製や金属製だと粘着力に欠けるが、プラスチック製は、安価で製作しやすく軽量であるという特質を持っている。
【００１３】
前述の第１および第２の平板１、２を連結する蝶番３は金属製のものでよいが、小型化するには、テープ式を用いるのがよい。金属製には、各連結用の回転軸の部品が必要で丸い突起部があるが、テープ式の蝶番３は、テープ自体の折り曲げが自由に行えかつ薄く簡単に連結が可能である。
【００１４】
なお、上述した面ファスナーの代わりに、ＮＳ一対の磁石または一方が磁石他方が鉄板などの強磁性体板を用いてもよい。
【００１５】
また、第１の平板１と第２の平板２の付着状態を剥がしやすくするための把手４の代わりに平板１、２の上面の両方又は片方に窪みを入れてそこから平板を開閉できるようにすることもできる。
【００１６】
図２は、図１の携帯品留め具と対になって、自動車などの所定箇所に付着される固定具の構成を示すものである。この固定具は、二枚の平板１１および１２を蝶番１３で開閉可能に連結したものであり、第１の平板１１の表面には面ファスナー１１ａ（凹側）を、第２の平板１２の表面の一部には面ファスナー１２ａ（凸側）を貼り付けたものである。第２の平板１２の端部には、面ファスナーを剥がしやすいように把手１４を設けている。第１の平板１１の裏面には、図２（ｂ）に示すように両面テープなどの粘着部１１ｂが形成されており、最初は剥離紙などで粘着面を保護している。第２の平板１２の裏面１２ｂは、第２の平板１２を第１の平板１１に折り畳んだ場合に表面となる部分である。
この固定具においても、第２の平板１２の裏面１２ｂに写真やキャラクタを貼り付けることができる。
【００１７】
固定具の二つの平板１１、１２が閉じた状態では、お互い両面の面ファスナーによって閉じた状態であるので、外気に曝されることがなく、車内中の粉塵の付着もない。
【００１８】
図３は本発明に係る携帯品留め具の使用例を示すものであり、図４は図３の携帯電話を固定具へ取り付ける説明図である。この使用例においては、自動車の運転席前のフロントパネルにおける灰皿の位置など、運転者の手が届く部分に図２に示した固定具Ｂを粘着部１１ｂで付着しておき、通常は第２の平板１２を第１の平板１１に貼り付けておく。また、携帯品留め具Ａの方は、携帯電話５の裏面に粘着部１ｂの面を貼り付け、第２の平板２は第１の平板１に貼り付けておく。
【００１９】
自動車の運転をするときは、携帯電話５側の携帯品留め具Ａの第２の平板２を第１の平板１から剥がし、自動車側に貼り付けた固定具Ｂも第１の平板１２を第１の平板１１から剥がし、携帯品留め具Ａの面ファスナー１ａと固定具Ｂの面ファスナー１１ａを相対するように貼り付ける。携帯品留め具Ａの面ファスナー１ａは凸側、固定具Ｂの面ファスナー１１ａは凹側に構成しているので、両者は強固に付着する。
【００２０】
通話する必要に応じて、フロントパネルから取り外しする。取り外した状態で車外へ携帯電話５を携行するときは、フロントパネルの固定具Ｂ、携帯電話５の留め具Ａとも、第２の平板２、１２を第１の平板１、１１側に貼り合わせて閉じるようにする。
【００２１】
また携帯品留め具の面ファスナーの代わりに磁石を用い、携帯電話の留め具の平板にはその磁石で貼りあわせる構成とすれば、車の運転時には、留め具の磁石で車の運転室のフロントパネル周辺にある鉄板部に携帯電話を貼り合わせることができる。
磁石を用いれば、フロントパネル側に固定具Ｂは不要である。
【００２２】
なお、以上の実施の形態においては携帯品として携帯電話を例にして説明したが、かさ等の他の携帯品においても、同様に適用することができることは勿論である。
【００２３】
【発明の効果】
本発明によれば、下記の効果を奏する。
（１）端部が蝶番で連結された二つの平板と、これらの二つの平板を折り畳んだときに対向面となる表面側にそれぞれ設けられた着脱手段と、前記一方の平板の裏面側に形成された粘着部とからなるものであるため、携帯電話などの携帯品を通常使用するときは使用感を損ねることがなく、自動車運転時または歩行時には留め具としての機能を発揮することができる。
（２）携帯品留め具が二つの薄い平板の折り畳み式なっているので、携帯品にこの留め具を取り付けた状態、特に携帯電話を手に持って通話するのに支障がない。
（３）折り畳んだ状態では係着面が外気に曝されることがないので、付着面に粉塵が付着することがない。
（４）前記着脱手段としては、面ファスナーや磁石を用いることができ、付着時は自動車の振動などでは容易に離脱せず、着脱は簡単に行うことができる。
（５）第２の平板の裏面側は、第１の平板と張り合わせたときに表面に現れる部分であるので、この面に携帯電話などの携帯品と同じ外観の模様を設けたり、好みの写真やキャラクタを貼り付けることで小物のより一層の装飾性のアクセサリー効果を高めることができる。
【図面の簡単な説明】
【図１】  本発明の実施形態である携帯品留め具を示すものであり、（ａ）は表面側の斜視図、（ｂ）は背面図である。
【図２】  図１の携帯品留め具と対になって、自動車などの所定箇所に付着される固定具の構成を示すものであり、（ａ）は表面側の斜視図、（ｂ）は背面図である。
【図３】  本発明に係る携帯品留め具の使用例を示す正面図である。
【図４】  携帯電話を固定具へ取り付ける説明図である。
【符号の説明】
Ａ  携帯品留め具
１  第１の平板
１ａ  面ファスナー
１ｂ  粘着部
２  第２の平板
２ａ  面ファスナー
２ｂ  裏面
３  蝶番
４  把手
５  携帯電話
Ｂ  固定具
１１  第１の平板
１１ａ  面ファスナー
１１ｂ  粘着部
１２  第２の平板
１２ａ  面ファスナー
１２ｂ  裏面
１３  蝶番
１４  把手
【図１】
0003655568.tif 000002
【図２】
0003655568.tif 000003
【図３】
0003655568.tif 000004
【図４】
0003655568.tif 000005